(57)【要約】      （修正有）【課題】指先専用応急絆創膏において、爪の短い利用者はもちろん、爪の長い利用者であっても、爪を切ることなく指先の応急手当てを可能とした応急絆創膏を提供する。【解決手段】製品の製造段階で、滅菌ガーゼの適切な位置にミシン目３を施す。滅菌ガーゼ２及びミシン目３は通気性粘着シート１よりやや上下に離れた位置に設け、絆創膏の上下を反転することによって、指先および指の腹と、爪の根元両方の傷に爪を切ることなく対応可能とする。【選択図】図１
0003194354.tif 000002
【実用新案登録請求の範囲】
【請求項１】
指先専用応急絆創膏において、滅菌ガーゼ部分の適切な位置に予め出荷段階において適所にミシン目を施すことにより、爪の長い利用者であっても各自ミシン目の切り込みを貫通ことにより、爪を切ることなく指先の応急手当てを可能としたもの。
【請求項２】
前記応急絆創膏の滅菌ガーゼと切り込み部分は通気性粘着シート中央よりやや上下に離れた位置に設け、絆創膏を上下反転することによって指の腹部分の傷と、爪の根元部分の傷双方に対応可能なものとする。またミシン目の無いところに爪の位置をあてがい、ミシン目を切り抜かない場合は、爪の短い利用者用としてもなんら支障のないものとする。
【請求項３】
前記応急絆創膏の切り抜き部分、及び滅菌カーゼと通気性粘着シートの大きさと形状、または位置の組み合わせは、実用範囲において全てを含むものとする。
【考案の詳細な説明】
【技術分野】
【０００１】
【背景技術】
【０００２】指先専用応急絆創膏において、現在販売されているもの全てが、先ず爪を短く切ってから滅菌ガーゼと通気性粘着シートから成る製品を指先端に貼り付ける仕様となっている。
【先行技術文献】
【特許文献】
【０００３】▲□▼考案の概要
【考案が解決しようとする課題】
【０００４】しかしながら、特に爪の長い女性の場合、他の指と爪の長さが異なってしまうことを嫌うことが十分に考えられる。また傷の程度によっては短期間、あるいは短時間の手当てでも良い場合があり、その代償として爪を切ることにためらいを生じる可能性はさらに高まると考えられる。
【課題を解決するための手段】
【０００５】そこで本考案は爪が長い状態のままでも手当てができるよう、爪を通す穴をミシン目で開けておき、必要に応じて穴を突き破って使用可能な指先専用応急絆創膏を提供することを目的とした。
またミシン目は絆創膏の上下を反転することで指の腹部分の傷と、爪の根元部分の傷双方に対応可能なものとするために位置をずらして設ける。
【考案の効果】
【０００６】ミシン目は滅菌ガーゼ部分から通気性粘着シートまで貫通しており、爪先などで容易に貫通することができる。よって必ずしも爪を短く切る必要はなくなり、応急手当への抵抗感が減る。ミシン目が不要の場合は、爪をミシン目からわずかに避けて指先に  貼り付けることで、最低限の密封は維持できる。
【０００７】
【図面の簡単な説明】
【０００８】
【図１】応急絆創膏を滅菌ガーゼ方向から見た正面図
【図２】において上のミシン目は指の腹および先端の傷の場合の用法である。
【図３】応急絆創膏の使用時の一例（指腹の傷の場合）  図２において上のミシン目は爪の根元付近の傷の場合の用法である。
【考案を実施するための形態】
【０００９】  以下に、本考案に係わる使用例を図２、図３を用いて説明する。
▲１▼  爪を長いままミシン目３に通す（指の腹に傷を負った想定）。
▲２▼  ▲２▼、▲３▼、▲４▼、▲５▼の順番に、指に粘着シートを巻きつける。
▲３▼  最後に▲６▼を指の上からかぶせて巻きつける。
【符号の説明】
【００１０】１．通気性粘着部分
２．滅菌ガーゼ部分
３．爪用穴ミシン目
【図１】
0003194354.tif 000003
【図２】
0003194354.tif 000004
【図３】
0003194354.tif 000005
【手続補正書】
【提出日】平成26年5月30日(2014.5.30)
【手続補正１】
【補正対象書類名】実用新案登録請求の範囲
【補正対象項目名】全文
【補正方法】変更
【補正の内容】
【実用新案登録請求の範囲】
【請求項１】
指先専用応急絆創膏において、滅菌ガーゼ部分の適切な位置に予め出荷段階において、適所にミシン目を施すことにより、爪の長い利用者であっても各自ミシン目の切り込みを貫通ことにより、爪を切ることなく指先の応急手当てを可能とした指先専用応急絆創膏である。
【請求項２】
滅菌ガーゼ部分の適切な位置に予め出荷段階において、適所にミシン目を施したことを特徴とする、請求項１に記載の指先専用応急絆創膏の滅菌ガーゼと切り込み部分は、通気性粘着シート中央よりやや上下方向にずらした位置に設けることによって、当該絆創膏を上下反転することによって指の腹部分の傷と、爪の根元部分の傷双方同等に対応可能なものとしつつ、また爪の短い利用者用の場合も、ミシン目の無いところに爪の位置をあてがうことにより、使用上支障の無い指先専用応急絆創膏である。
【請求項３】
滅菌ガーゼ部分の適切な位置に予め出荷段階において、適所にミシン目を施したことを特徴とする、請求項１および請求項２に記載の指先専用応急絆創膏の通気性粘着シート、滅菌ガーゼ、切り込み部分の大きさと形状、またそれらの位置と組み合わせは、指先専用応急絆創膏としての実用範囲において、全て対象内とする。
【手続補正書】
【提出日】平成26年7月18日(2014.7.18)
【手続補正１】
【補正対象書類名】実用新案登録請求の範囲
【補正対象項目名】全文
【補正方法】変更
【補正の内容】
【実用新案登録請求の範囲】
【請求項１】
通気性粘着シート部分と、その粘着側中央部分付近に滅菌ガーゼを配置した形状の指先専用応急絆創膏において、滅菌ガーゼ部分の適切な位置に、滅菌ガーゼの切り込みと通気性粘着シート部分のミシン目を同じ位置に同じ長さで施した指先専用応急絆創膏。
【請求項２】
請求項１に記載の指先専用応急絆創膏の滅菌ガーゼの切り込みと通気性粘着シートのミシン目部分は、滅菌ガーゼの指先専用応急絆創膏長辺方向上方に設け、当該指先専用応急絆創膏を上下反転することによって、指の腹部分の傷と、爪の根元部分の傷双方に対応可能なものとしつつ、また同時にミシン目の切り込みを必要としない場合にも使用に支障のない形状を有する指先専用応急絆創膏。
【請求項３】
請求項１または請求項２に記載の指先専用応急絆創膏は、滅菌ガーゼの切り込みと通気性粘着シートのミシン目の位置と長さ、及び滅菌ガーゼと通気性粘着シートの大きさと形状、また滅菌ガーゼと通気性粘着シートの位置関係は、指先専用応急絆創膏としての実用範囲において、全てを対象とするものとする。
【手続補正書】
【提出日】平成26年9月3日(2014.9.3)
【手続補正１】
【補正対象書類名】実用新案登録請求の範囲
【補正対象項目名】全文
【補正方法】変更
【補正の内容】
【実用新案登録請求の範囲】
【請求項１】
通気性粘着シート部分と、その粘着側中央部分付近に滅菌ガーゼを配置した形状の指先専用応急絆創膏において、滅菌ガーゼ部分の適切な位置に、滅菌ガーゼの切り込みと通気性粘着シート部分のミシン目を同じ位置に同じ長さで施した指先専用応急絆創膏。
【請求項２】
請求項１に記載の指先専用応急絆創膏の滅菌ガーゼの切り込みと通気性粘着シートのミシン目部分は、滅菌ガーゼの指先専用応急絆創膏長辺方向上方に設け、当該指先専用応急絆創膏を上下反転することによって、指の腹部分の傷と、爪の根元部分の傷双方に対応可能なものとしつつ、また同時にミシン目の切り込みを必要としない場合にも使用に支障のない形状を有する指先専用応急絆創膏。
【請求項３】
ミシン目が滅菌ガーゼ部分の周辺に、通気性粘着シートにのみ施された指先専用応急絆創膏。